(57)【要約】【課題】座付きねじをねじと座金で代用する際、座金を効率的に使用できるようにすることを目的とする。【解決手段】本キャビネット１０は、可塑性樹脂で形成された筐体の一部である。また、キャビネットの前面側裏面には、厚みの薄い環帯状の部位を備える環帯部位１０を有する。環帯部位１０は、延設部位１１の先端に位置し、延設部位１１から切り離すことで座金として利用することができる。また、使用しない場合は、キャビネットに連結させておくことで作業性を改善することができる。【選択図】図２
2008216819.tif 000002
【特許請求の範囲】
【請求項１】
可塑性樹脂で形成されたフロントキャビネットとリアキャビネットとから成るキャビネットを有する表示装置において、
前記フロントキャビネットは、前面側裏面より延設する延設部位の先端に厚みの薄い環帯状の環帯部位を備え、
前記延設部位は、前記環帯部位より厚みの薄い柱状であるとともに、該環帯部位と連結する直下に切り欠きを形成し、
前記環帯部位を、該切り欠きからねじることで前記フロントキャビネットから切り離して、座金として利用することができることを特徴とする表示装置。
【請求項２】
可塑性樹脂で形成されたフロントキャビネットとリアキャビネットとから成るキャビネットにおいて、
前記フロントキャビネットの前面側裏面より延設するとともに、厚みの薄い環帯状の部位を備える環帯部位を有し、
前記環帯部位は、前記フロントキャビネットから切り離して、座金として利用することができることを特徴とするキャビネット。
【請求項３】
前記環帯部位は、前記フロントキャビネットの前面側裏面より延設する延設部位の先端に位置する形状であって、
前記延設部位は、前記環帯部位より厚みの薄い形状とし、
該延設部位をねじることで前記環帯部位を前記フロントキャビネットから切り離し易くしたことを特徴とする請求項２に記載のキャビネット。
【請求項４】
前記延設部位は、前記環帯部位と繋がる直下に切り欠きを形成し、
前記環帯部位を前記フロントキャビネットから切り離し易くしたことを特徴とする請求項２または請求項３のいずれかに記載のキャビネット。
【請求項５】
前記環帯部位は、貫通孔の外周が芯方向に所定長だけ延設するとともに、先端にかけて直径が狭まるテーパー形状の外周面を有する首下部位を備え、
該首下部位を、ねじ孔に挿入することにより、本環帯部位を載置し易くしたことを特徴とする請求項２から請求項４のいずれか一項に記載のキャビネット。
【請求項６】
前記フロントキャビネットは、側面に前記リアキャビネットと係合する係合部位を備え、
前記環帯部位は、前記係合部位を形成するスライド型を用いて、一体成形されることを特徴とする請求項２から請求項５のいずれか一項に記載のキャビネット。
【発明の詳細な説明】
【技術分野】
【０００１】
本発明は、可塑性樹脂にて形成されたキャビネットおよび上記キャビネットを使用する表示装置に関するものである。
【背景技術】
【０００２】
従来、基板やモジュールをキャビネット内に固定するために、座付きねじが使用されている。座付きねじは、頭部下方に座金が予め形成されたものであり、通常のねじと比べてコスト高となる。そのため、ねじと座金を用いて座付きねじを代用してコストを下げる試みがなされている。しかしながら、代用品としてねじと座金を用いた場合、座金が小さいため、作業者がワッシャーを掴みづらい等の問題があった。
【０００３】
座付きねじに関する技術ではないが、固定を行うための部品を共通化する技術として、以下に記載するコード取付用バンドが開示されている。つまり、コード取付用バンドは、コードを固定する部品固定部と、部品固定部から連結したシート部と、シート部に取付けられた固定部とから成る。ここで、部品固定部は、直径の異なるコードを固定することができるため、部品を流用することができる（例えば、特許文献１参照）。
【０００４】
また、座付きねじに関する技術ではないが、フラットハーネスを簡単に固定する技術として、以下のフラットハーネス固定用クリップが開示されている。つまり、フラットハーネス固定用クリップは、フイルム押え用ワッシャーと固定用係止脚とがバンドにて連結され、フイルム押え用ワッシャーと固定用係止脚とを係合させて、フラットハーネスを固定する（例えば、特許文献２参照。）。
【特許文献１】特開平６−１６５３４９公報
【特許文献２】特開平９−２５０５２１公報
【発明の開示】
【発明が解決しようとする課題】
【０００５】
上述した特許文献１、及び２の発明は、座付きねじに関する技術ではない。つまり、座付きねじを、ねじと座金で代用した場合に生じる問題を解決するものではない。
【０００６】
本発明は、上記課題にかんがみてなされたもので、座付きねじをねじと座金で代用する際の問題を解決することを目的とする。
【課題を解決するための手段】
【０００７】
上記課題を解決するために、本発明の請求項２にかかる発明では、可塑性樹脂で形成されたフロントキャビネットとリアキャビネットとから成るキャビネットにおいて、前記フロントキャビネットの前面側裏面より延設するとともに、厚みの薄い環帯状の部位を備える環帯部位を有し、前記環帯部位は、前記フロントキャビネットから切り離して、座金として利用することができる構成としてある。
【０００８】
つまり、作業者がフロントキャビネットに基板やモジュールを固定する場合は、環帯部位を切り離して座金として使用することができる。そのため、通常の座金のように、一つ一つを部品箱から摘み出すのではなく、フロントキャビネットから延設した環帯部位を摘んで切り離すので作業が行い易い。また、座付きねじの使用を廃止することができるため、コストを下げることができる。
【０００９】
そして、請求項３にかかる発明では、前記環帯部位は、前記フロントキャビネットの前面側裏面より延設する延設部位と連結しており、前記延設部位は、前記環帯部位より厚みの薄い形状とし、該延設部位をねじることで前記環帯部位を前記フロントキャビネットから切り離し易くした構成としてある。
【００１０】
つまり、環帯部位は、フロントキャビネットの前面側裏面より延設した厚みの薄い延設部位と連結している。そのため、延設部位をねじ切ることができ、前記環帯部位をフロントキャビネットから容易に切り離すことができる。
【００１１】
さらに、請求項４にかかる発明では、前記延設部位は、前記環帯部位と連結する直下に切り欠きを形成し、前記環帯部位を前記フロントキャビネットから切り離し易くした構成としてある。
つまり、延設部は、切り欠きを用いて環帯部位を容易に切り離すことができる。
【００１２】
また、請求項５にかかる発明では、前記環帯部位は、開口の周縁部が芯方向に所定長だけ延設するとともに、先端にかけて直径が狭まるテーパー形状の外周面を有する首下部位を有し、該首下部位を、ねじ孔に挿入することにより、本環帯部位を載置し易くした構成としてある。
つまり、環帯部位をフロントキャビネットから切り離した後、首下部位の先端をねじ孔に挿入させてねじ孔周辺に載置する。これにより、首下部位はねじ孔と係合して固定されるため、作業を行い易くする。
【００１３】
そして、請求項６に記載の発明では、前記フロントキャビネットは、側面に前記リアキャビネットと係合する係合部位を備え、前記環帯部位は、前記係合部位を形成するスライド型を用いて、一体形成される構成としてある。
つまり、環帯部位は、係合部位を形成するスライド型でフロントキャビネットと一体形成されるため、生産工数が増えず容易に形成することができる。
【００１４】
さらに、請求項１に記載の発明では、樹脂で形成されたフロントキャビネットとリアキャビネットとから成るキャビネットを有する表示装置において、前記フロントキャビネットは、前面側裏面より延設する延設部位の先端に厚みの薄い環帯状の環帯部位を備え、
前記延設部位は、前記環帯部位より厚みの薄い柱状であるとともに、該環帯部位と連結する直下に切り欠きを形成し、前記環帯部位を、該切り欠きからねじることで前記フロントキャビネットから切り離して、座金として利用することができる構成としてある。
【発明の効果】
【００１５】
以上説明したように本発明によれば、座付きねじをねじと座金で代用する際、効果的に使用することができる。
また請求項３にかかる発明によれば、前記環帯部位をフロントキャビネットから容易に切り離して座金として使用することができる。
そして請求項４にかかる発明によれば、前記環帯部位をフロントキャビネットから容易に切り離すことができ、座金として使用することができる。
さらに請求項５にかかる発明によれば、作業を行い易くすることができる。
また請求項６にかかる発明によれば、本発明にかかるキャビネットの生産工数が増えず容易に形成することができる。
さらに請求項１のような、より具体的な構成において、上述した請求項２〜請求項６の各発明と同様の作用を奏することはいうまでもない。
【発明を実施するための最良の形態】
【００１６】
本発明のキャビネットの具体的な説明として、上記キャビネットを使用する表示装置を基に説明を行う。しかしながら、本発明に係るキャビネットは表示装置への使用に限定されるものではなく、本発明に係るキャビネットを使用するものであれば応用することができる。
以下、下記の順序に従って本発明の実施形態を説明する。
（１）環帯部位の構成
（２）環帯部位の作用・効果
（３）各種変形例
（４）まとめ
【００１７】
（１）環帯部位の構成 
図１は、本発明の実施の形態における表示装置の要部を表す斜視図である。表示装置９０は、映像を表示するためのパネルモジュール９１と基板９２とを、筐体で収容する構成である。また、筐体は、フロントキャビネット７０とリアキャビネット８０とから構成されている。表示装置９０の組み立て方法は、パネルモジュール９１の背面に基板９２をねじ止めした状態で、フロントキャビネット７０とリアキャビネット８０とを前後から挟むよう取り付ける。ここで、フロントキャビネット７０は、側面に形成された係合突起８１を用いてリアキャビネット８０と係合する。
【００１８】
図２は、フロントキャビネットを背面側から見た斜視図である。フロントキャビネット７０は可塑性樹脂にて形成される厚みの薄い箱型形状である。フロントキャビネット７０は、背面側に形成された開口７１からパネルモジュール９１を収容し、前面側に形成した表示開口７２から、収容したパネルモジュール９１の表示部を露出させる。さらに、前面側裏面には補強用リブ７３が形成され、側面に係合部位７５が形成される。補強用リブ７３は、フロントキャビネット７０を補強するとともに、収容されたパネルモジュール９１を受けて保持するものである。そのため、補強用リブは、フロントキャビネット７０の前面側裏面から側面にかけて一体形成される。さらに、補強用リブ７３は、パネルモジュール９１の前面側を受ける保持部位７４を備えている。また、係合部位７５は側面に形成された矩形状の開口とされ、該開口にリアキャビネット８０から延設した係合突起８１が挿入してリアキャビネット８０と係合する。
【００１９】
フロントキャビネット７０は、補強用リブ７３、７３の間に環帯部位１０を備えている。図３に示すように、環帯部位１０は、フロントキャビネット７０の前面側裏面から延設した延設部位１１の先端に位置している。環帯部位１０は、厚みの薄い環帯状であり、その貫通孔１０ａをフロントキャビネット７０の前面側裏面に対して略水平に向けて配置している。なお、貫通孔１０ａの直径は、使用されるねじの頭部直径より小さいものとする。また、延設部位１１は厚みの薄い柱状とし、ねじることで破断することができる。
【００２０】
環帯部位１０は、フロントキャビネット７０の形成の際、スライド型を用いて一体成形される。図４（ａ）に示すように、まず、下型６０と上型６１とで樹脂を流し込むキャビティーを形成する。このとき形成されるキャビティーは、フロントキャビネット７０の外周を形成するものである。次に、スライド型６２をフロントキャビネットの側壁側へスライドさせて係合部位７５と、環帯部位１０の外形を形成する。さらに、スライド型６３をスライドさせて、環帯部位の内側を成形するキャビティーを形成する。この状態で、キャビティーに樹脂を流しこみフロントキャビネット７０を成形する。
【００２１】
（２）環帯部位の作用・効果
図５示すように、本発明に係る環帯部位１０は、フロントキャビネット７０から切り離して座金として使用することができる。具体的には、まず、延設部位１１をねじって、環帯部位１０をフロントキャビネット７０から切り離す。次に、環帯部位１０の貫通孔１０ａにねじＳ１の先端を挿入させる。最後に、ねじＳ１を締め付けて基板９２等ごとキャビネットにねじ止めする。通常、作業者が座金を用いる場合は、部品箱に入れられた座金を摘んで拾い上げ、ねじを貫通孔に貫通させて使用する。そのため、形の小さな座金を指の先で摘む必要があり、素早く座金を摘むことができない場合がある。しかしながら、本発明にかかるキャビネットでは、環帯部位１０がフロントキャビネット７０から延設しており、作業者は環帯部位１０を容易に摘むことができる。また、環帯部位１０を座金として使用する場合は、摘んでねじり取るだけである。また、使用しない場合は、フロントキャビネット７０に連結させておけばよい。このため、ライン上で座金が収容される部品箱を配置するスペースが不要となる。さらに、使用しない座金が部品箱からこぼれ落ちることがないため、作業環境を清潔に保つことができる。
【００２２】
（３）各種変形例
本発明の配線処理部位は、様々な変形例が考えられる。
フロントキャビネットに形成される配線処理部位は一つに限定されず、複数の配線処理部位を前面側裏面より延設するものであってもよい。
また、図６に示すように、環帯部位１０をフロントキャビネット７０から切り離し易くするため、環帯部位１０と延設部位１１とが連結した直下に切り欠み１２を形成してもよい。これにより、延設部位１１をねじることにより、切り込み１２が破断して、楽に環帯部位１０をフロントキャビネット７０から切り離すことができる。
【００２３】
さらに、環帯部位１０をねじ孔に載置し易くするため、環帯部位１０の貫通孔１０ａ外周に首下部位１３を形成してもよい。首下部位１３は、環帯部位１０の貫通孔１０ａ外周より芯方向に延設する形状である。また、首下部位１３の外周面１３ａは、先端に行くにしたがい直径の狭くなるテーパー形状である。そのため、図７に示すように、首下部位１３をねじ孔ｈ１に挿入させて位置決めすることができる。なお、首下部位１３の先端の直径は、少なくとも使用するねじ孔の内径よりも小さいものとする。
本環帯部位１０を使用することで、作業者は以下の手順で作業をすることができる。まず、フロントキャビネット７０から切り離した環帯部位１０をねじ孔ｈ１に載置する。このとき、首下部位１３をねじ孔ｈ１に挿入させる。次に、ねじＳ１を部品箱から摘んで、環帯部位１０の貫通孔１０ａに挿入する。最後に、ドライバー等の工具でねじＳ１を締め付ける。このとき、環帯部位１０は首下部位１３でねじ孔ｈ１と係止しているため容易には動かない。そのため、ねじＳ１を片手で押さえた状態でドライバーを用いて締め付けることが可能となる。
【００２４】
（４）まとめ
以上説明したように、作業者がフロントキャビネットに基板やモジュールを固定する場合は、環帯部位を切り離して座金として使用することができる。そのため、通常の座金のように、一つ一つを部品箱から摘み取るのではなく、フロントキャビネットから延設した環帯部位を摘んで切り離すので作業が行い易い。また、座付きねじの使用を廃止することができるため、コストを下げることができる。
【００２５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００２６】
【図１】本発明の実施の形態における表示装置の要部を表す斜視図。
【図２】本発明の実施の形態におけるフロントキャビネットの斜視図。
【図３】環帯部位の一例を示す垂直断面図。
【図４】環帯部位の成形方法の一例を示す垂直断面図。
【図５】環帯部位の使用方法の一例を示す水平断面図。
【図６】環帯部位の一例を示す垂直断面図。
【図７】環帯部位の使用方法の一例を示す水平断面図。
【符号の説明】
【００２７】
１０…環帯部位、１０ａ…貫通孔、１１…延設部位、１３…首下部位、６０…下型、６１…上型、６２、６３…スライド型、７０…フロントキャビネット、７１…開口、７２…表示開口、７３…補強用リブ、７４…保持部位、７５…係合部位、８０…リアキャビネット、８１…係合突起、９０…表示装置、Ｓ１…ねじ、ｈ１…ねじ孔
【図１】
2008216819.tif 000003
【図２】
2008216819.tif 000004
【図３】
2008216819.tif 000005
【図４】
2008216819.tif 000006
【図５】
2008216819.tif 000007
【図６】
2008216819.tif 000008
【図７】
2008216819.tif 000009